(57)【要約】【課題】  注水口を含む注水管路にウイルス菌，細菌，真菌等の菌類が侵入しないようにして確実に浄水の汚染の防止を図る。【解決手段】  給水管路３に介装したポンプ４から送水される原水を浄化して浄水と排水とに分離する浄化モジュールを有した水処理ユニットＦを備え、浄水を流す注水管路１０及び排水を流す排水管路２０を備え、注水管路１０の注水口１１からの菌類の侵入を抑止する注水側防菌手段Ａ１を備え、注水側防菌手段Ａ１を、機台１に対して注水口部３１の注水口１１の位置を可変に設けられる注水管３０と、一端がポンプ４の上流側の給水管路３に接続され他端側が機台１に支持される戻し管路３２と、戻し管路３０の他端に設けられ注水管３０の停止位置Ｘで注水口部３１が連結される連結口部４０とを備えて構成し、この停止位置Ｘで管路の水を循環させるようにした。【選択図】図４
2015020152.tif 000002
【特許請求の範囲】
【請求項１】
機台と、原水が給水される給水管路と、該給水管路に介装され原水を送水するポンプと、該ポンプから送水される原水を浄化して浄水と排水とに分離する浄化モジュールを有した水処理ユニットと、該水処理ユニットから浄水を流して先端の注水口から注水可能にする注水管路と、該水処理ユニットから排水を流して排水口から排出する排水管路とを備えた浄水装置において、
上記注水管路の注水口からの菌類の侵入を抑止する１種若しくは複数種の注水側防菌手段を備えたことを特徴とする浄水装置。
【請求項２】
上記注水側防菌手段を、上記注水口が設けられた注水口部を有するとともに上記機台に対して該注水口の位置を可変に設けられ所定の停止位置に位置させられる注水管と、一端が上記ポンプの上流側の給水管路に接続され他端側が機台に支持される戻し管路と、該戻し管路の他端に設けられ上記注水管の停止位置で上記注水口部が連結される連結口部とを備えて構成し、上記注水管の停止位置で上記ポンプを駆動することにより上記注水管路及び戻し管路の水を循環させるようにしたことを特徴とする請求項１記載の浄水装置。
【請求項３】
上記水の循環を間欠的に行うことを特徴とする請求項２記載の浄水装置。
【請求項４】
上記注水管の基端を機台に対して回動可能に支持し、上記停止位置で上記注水口部を上記連結口部に差し込み可能にしたことを特徴とする請求項２または３記載の浄水装置。
【請求項５】
上記機台に設けられ上記注水口部の上記連結口部に対する差し込み時に該連結口部を微動可能に支持するフローティング支持部を設けたことを特徴とする請求項４記載の浄水装置。
【請求項６】
上記注水管路及び戻し管路を含む循環管路に、１種若しくは複数種の別の防菌手段を設けたことを特徴とする請求項２乃至５何れかに記載の浄水装置。
【請求項７】
上記別の防菌手段を、上記注水管路及び戻し管路を含む循環管路に介装され水の入口及び出口を有したケーシングと、該ケーシング内に設けられケーシング内の水に紫外線を照射する紫外線照射部とを備えて構成したことを特徴とする請求項６記載の浄水装置。
【請求項８】
上記別の防菌手段を、上記注水管路及び戻し管路を含む循環管路に介装され水が通過可能な抗菌材料で形成された抗菌体で構成したことを特徴とする請求項７記載の浄水装置。
【請求項９】
上記抗菌体は、抗菌材料で形成された多孔の板状部材を積層して形成されることを特徴とする請求項８記載の浄水装置。
【請求項１０】
上記注水側防菌手段を、上記注水口が設けられた注水口部を有するとともに上記機台に対して該注水口の位置を可変に設けられ所定の停止位置に位置させられる注水管と、上記機台に設けられ上記注水管の停止位置で上記注水口部が連結される連結口部と、該連結口部内に設けられ上記注水口部の殺菌を行う殺菌ユニットとを備えて構成したことを特徴とする請求項１記載の浄水装置。
【請求項１１】
上記殺菌ユニットを、紫外線を照射する紫外線照射部を備えて構成したことを特徴とする請求項１０記載の浄水装置。
【請求項１２】
上記注水側防菌手段を、抗菌材料で形成され上記注水口が設けられた注水口部自体で構成したことを特徴とする請求項１記載の浄水装置。
【請求項１３】
上記注水側防菌手段を、上記注水口が設けられた注水口部に介装され水が通過可能な抗菌材料で形成された抗菌体で構成したことを特徴とする請求項１記載の浄水装置。
【請求項１４】
上記抗菌体は、抗菌材料で形成された多孔の板状部材を積層して形成されることを特徴とする請求項１３記載の浄水装置。
【請求項１５】
上記排水管路の少なくとも該排水管路の途中から上記水処理ユニット側へ菌類の侵入を阻止する１種若しくは複数種の排水側防菌手段を備えたことを特徴とする請求項１乃至１４何れかに記載の浄水装置。
【請求項１６】
上記排水側防菌手段を、上記排水管路に介装され水の入口及び出口を有したケーシングと、該ケーシング内に設けられケーシング内の水に紫外線を照射する紫外線照射部とを備えて構成したことを特徴とする請求項１５記載の浄水装置。
【請求項１７】
上記排水側防菌手段を、抗菌材料で形成された上記排水管路の一部もしくは全部で構成したことを特徴とする請求項１５記載の浄水装置。
【請求項１８】
上記排水側防菌手段を、上記排水管路を形成する排水管に保持されるとともに上記注水管路に介装され水が通過可能な抗菌材料で形成された抗菌体で構成したことを特徴とする請求項１５記載の浄水装置。
【請求項１９】
上記抗菌体は、抗菌材料で形成された多孔の板状部材を積層して形成されることを特徴とする請求項１８記載の浄水装置。
【請求項２０】
上記機台に操作盤を設け、該操作盤に注水開始指令信号を送出する注水開始ボタンと、注水停止指令信号を送出する注水停止ボタンと、予め所要の注水量を指定可能な注水量指定手段とを備え、上記注水管路に水の流量を計測する流量計を設け、注水制御を行う制御部を設け、該制御部は、注水開始指令信号があったとき注水を開始する注水開始手段と、注水停止指令信号があったとき注水を停止する注水停止手段と、注水開始指令信号があってから流量計が計測する流量に基づいて注水量を算出する注水量算出手段と、注水量算出手段が演算した注水量が注水量指定手段が指定した所要の注水量になったとき注水停止指令信号を送出する注水量監視手段とを備えたことを特徴とする請求項１乃至１９何れかに記載の浄水装置。
【請求項２１】
上記制御部は、上記注水量指定手段の指定がないとき、上記注水開始指令信号があってから上記注水停止ボタンによる注水停止指令信号があるまで連続注水を行なわせる連続注水手段を備えたことを特徴とする請求項２０記載の浄水装置。
【発明の詳細な説明】
【技術分野】
【０００１】
本発明は、水道水などの原水を例えば逆浸透膜タイプの浄化モジュールを通して浄水と排水とに分離する浄水装置に係り、特に、ウイルス菌，細菌，真菌等の菌類によって浄水が汚染されないようにした浄水装置に関する。
【背景技術】
【０００２】
従来、この種の浄水装置としては、例えば、特開２０１３−３４９７１号公報（特許文献１）に掲載されているものが知られている。図１５に示すように、この浄水装置Ｓａは、原水が給水される給水管路２００と、給水管路２００に介装され原水を送水するポンプ２０１と、ポンプ２０１の上流側に設けられた前処理フィルタ２０２と、ポンプ２０１から送水される原水を浄化して浄水と排水とに分離する逆浸透膜タイプの浄化モジュールを有した水処理ユニットＦａと、水処理ユニットＦａから浄水を流して先端の注水口２０３ａから注水可能にする注水管路２０３と、水処理ユニットＦａから排水を流して排水口２０４ａから排出する排水管路２０４とを備えている。また、注水管路２０３の途中には、例えば紫外線殺菌灯を有した除菌ユニット２０５が介装されている。２０６は制御部であり、給水管路２００に介装された電磁弁２０７，注水管路２０３に介装された電磁弁２０８の開閉制御及びポンプ２０１の駆動制御を行う。
【０００３】
そして、注水口２０３から注水して飲用等に供するときは、ポンプ２０１を駆動すると、浄化モジュールを有した水処理ユニットＦａから浄水が送出され注水管路２０３を通って注水口２０３ａから注水される。また、注水を停止するときは、ポンプ２０１の駆動を停止する。この注水の停止中において、仮に、注水口２０３ａから細菌等の菌類が侵入しても、除菌ユニット２０５が設けられているので、この除菌ユニット２０５により除菌して水処理ユニットＦａ側への菌類の侵入を阻止して浄水の汚染を防止している。
【先行技術文献】
【特許文献】
【０００４】
【特許文献１】特開２０１３−３４９７１号公報
【発明の概要】
【発明が解決しようとする課題】
【０００５】
ところで、この従来の浄水装置Ｓａにおいては、注水の停止中に注水口２０３ａから細菌等の菌類が侵入しても、注水管路２０３の途中に介装した除菌ユニット２０５により除菌して水処理ユニットＦａ側へ更に菌類が侵入することを阻止して浄水の汚染を防止してはいるが、注水口２０３ａと除菌ユニット２０５との間に侵入した菌類を排除することができないことから、注水時にこの間の菌類が浄水に混入してしまい、飲用した場合には人体に菌類が取り込まれることがあるという問題があった。
【０００６】
本発明は、上記の点に鑑みてなされたもので、注水口を含む注水管路にウイルス菌，細菌，真菌等の菌類が侵入しないようにして確実に浄水の汚染の防止を図った浄水装置を提供することを目的とする。また、必要に応じ、排水管路から菌類が侵入して浄水を汚染する事態の防止を図る点も課題とした。
【課題を解決するための手段】
【０００７】
このような目的を達成するため、本発明の浄水装置は、機台と、原水が給水される給水管路と、該給水管路に介装され原水を送水するポンプと、該ポンプから送水される原水を浄化して浄水と排水とに分離する浄化モジュールを有した水処理ユニットと、該水処理ユニットから浄水を流して先端の注水口から注水可能にする注水管路と、該水処理ユニットから排水を流して排水口から排出する排水管路とを備えた浄水装置において、上記注水管路の注水口からの菌類の侵入を抑止する１種若しくは複数種の注水側防菌手段を備えた構成としている。
【０００８】
これにより、注水口から注水して飲用等に供するときは、ポンプを駆動すると、浄化モジュールを有した水処理ユニットから浄水が送出され注水管路を通って注水口から注水される。所要量の注水が行われたならば、ポンプの駆動を停止するなどして注水を停止する。この注水の停止中において、仮に、注水口からウイルス菌，細菌，真菌等の菌類が侵入しようとしても、注水側防菌手段が注水管路の注水口からの菌類の侵入を抑止するので、注水口を含む注水管路に菌類が浸入する事態を防止することができ、そのため、次にまた注水口から注水して飲用等に供するときでも、浄水に菌類が混入する事態を防止して確実に浄水の汚染の防止を図ることができ、安全性を向上させることができる。
【０００９】
そして、必要に応じ、上記注水側防菌手段を、上記注水口が設けられた注水口部を有するとともに上記機台に対して該注水口の位置を可変に設けられ所定の停止位置に位置させられる注水管と、一端が上記ポンプの上流側の給水管路に接続され他端側が機台に支持される戻し管路と、該戻し管路の他端に設けられ上記注水管の停止位置で上記注水口部が連結される連結口部とを備えて構成し、上記注水管の停止位置で上記ポンプを駆動することにより上記注水管路及び戻し管路の水を循環させるようにした構成としている。
【００１０】
これにより、注水口から注水して飲用等に供するときは、ポンプを駆動すると、浄化モジュールを有した水処理ユニットから浄水が送出され注水管路を通って注水口から注水される。所要量の注水が行われたならば、ポンプの駆動を停止するなどして注水を停止し、その後、注水管を動かして所定の停止位置に位置させ、注水口部を連結口部に連結する。この状態では、適時にポンプが駆動させられて、注水管路及び戻し管路の水が循環させられる。次にまた注水口から注水して飲用等に供するときは、連結口部に対する注水口部の連結を解除し、停止位置から注水管を移動させて適宜の位置で注水を行う。このため、注水の停止中においては、注水口部が連結口部に連結されるので、注水口から細菌類等が浸入する事態を防止することができる。また、注水管路及び戻し管路の水が循環させられるので、管内の水を浄化モジュールで再び浄化することができる。そのため、浄水に菌類が混入する事態を防止することができ、確実に浄水の汚染の防止を図ることができ、安全性を向上させることができる。
【００１１】
また、必要に応じ、上記水の循環を間欠的に行うことが有効である。ポンプの連続運転による加熱を防止することができ、省力化を図ることができる。また、注水管路及び戻し管路の水が循環させられるので、浄化モジュールが例えば逆浸透膜（ＲＯ膜）タイプのものであれば、浄水の逆流が懸念されるが、これを防止する効果も奏する。
【００１２】
更に、必要に応じ、上記注水管の基端を機台に対して回動可能に支持し、上記停止位置で上記注水口部を上記連結口部に差し込み可能にした構成としている。注水口部が連結口部に差し込まれるので、注水口部を確実に空気と遮断して注水口から菌類が浸入する事態を防止することができる。また、注水管を回動させて、注水位置や停止位置に移動させることができるので、操作が容易であり、操作性を向上させることができる。
【００１３】
更にまた、必要に応じ、上記機台に設けられ上記注水口部の上記連結口部に対する差し込み時に該連結口部を微動可能に支持するフローティング支持部を設けた構成としている。注水口部を連結口部に差し込む際、連結口部が微動できるので、注水口部を連結口部に対して位置合わせし易くなり、差し込みを容易にすることができ、この点でも操作性を向上させることができる。
【００１４】
また、必要に応じ、上記注水管路及び戻し管路を含む循環管路に、１種若しくは複数種の別の防菌手段を設けた構成としている。浄水への菌類の混入をより一層確実に防止することができる。
【００１５】
この場合、必要に応じ、上記別の防菌手段を、上記注水管路及び戻し管路を含む循環管路に介装され水の入口及び出口を有したケーシングと、該ケーシング内に設けられケーシング内の水に紫外線を照射する紫外線照射部とを備えて構成している。菌類を殺菌することができ、浄水への菌類の混入をより一層確実に防止することができる。
【００１６】
また、必要に応じ、上記別の防菌手段を、上記注水管路及び戻し管路を含む循環管路に介装され水が通過可能な抗菌材料で形成された抗菌体で構成している。これによっても、菌類を殺菌することができ、浄水への菌類の混入をより一層確実に防止することができる。
この場合、上記抗菌体は、抗菌材料で形成された多孔の板状部材を積層して形成されることが有効である。水の抗菌材料に対する接触頻度が増し、殺菌効率が向上させられる。
【００１７】
そしてまた、必要に応じ、上記注水側防菌手段を、上記注水口が設けられた注水口部を有するとともに上記機台に対して該注水口の位置を可変に設けられ所定の停止位置に位置させられる注水管と、上記機台に設けられ上記注水管の停止位置で上記注水口部が連結される連結口部と、該連結口部内に設けられ上記注水口部の殺菌を行う殺菌ユニットとを備えて構成している。
【００１８】
これにより、注水口から注水して飲用等に供するときは、ポンプを駆動すると、浄化モジュールを有した水処理ユニットから浄水が送出され注水管路を通って注水口から注水される。所要量の注水が行われたならば、ポンプの駆動を停止するなどして注水を停止し、その後、注水管を動かして所定の停止位置に位置させ、注水口部を連結口部に連結する。この注水の停止中においては、注水口部が連結口部に連結されるので、注水口から細菌類等が浸入する事態を防止することができ、浄水に菌類が混入する事態を防止して確実に浄水の汚染の防止を図ることができ、安全性を向上させることができる。また、殺菌ユニットによって注水口部の殺菌が行われるので、浄水への菌類の混入をより一層確実に防止することができる。
【００１９】
この場合、必要に応じ、上記殺菌ユニットを、紫外線を照射する紫外線照射部を備えて構成している。紫外線の照射により、確実に殺菌することができる。
【００２０】
また、必要に応じ、上記注水側防菌手段を、抗菌材料で形成され上記注水口が設けられた注水口部自体で構成している。注水の停止中において、注水口部自体が抗菌材料で形成されているので、注水口を含む注水管路に菌類が浸入する事態を防止することができ、そのため、次にまた注水口から注水して飲用等に供するときでも、浄水に菌類が混入する事態を防止して確実に浄水の汚染の防止を図ることができ、安全性を向上させることができる。また、簡易な手段で注水口を殺菌することができる。
【００２１】
更にまた、必要に応じ、上記注水側防菌手段を、上記注水口が設けられた注水口部に介装され水が通過可能な抗菌材料で形成された抗菌体で構成している。注水の停止中において、注水口部に抗菌体が設けられているので、注水口を含む注水管路に菌類が浸入する事態を防止することができ、そのため、次にまた注水口から注水して飲用等に供するときでも、浄水に菌類が混入する事態を防止して確実に浄水の汚染の防止を図ることができ、安全性を向上させることができる。
この場合、上記抗菌体は、抗菌材料で形成された多孔の板状部材を積層して形成されることが有効である。水の抗菌材料に対する接触頻度が増し、殺菌効率が向上させられる。
【００２２】
そして、本発明においては、必要に応じ、上記排水管路の少なくとも該排水管路の途中から上記水処理ユニット側へ菌類の侵入を阻止する１種若しくは複数種の排水側防菌手段を備えた構成としている。排水口から菌類が侵入しようとしても、排水側防菌手段により、水処理ユニット側への菌類の侵入を阻止することができるので、より一層確実に浄水への菌類の混入を防止することができる。即ち、注水口側からと排水口側から二重に菌類の侵入を阻止できることから、安全性をより一層向上させることができる。
【００２３】
そして、必要に応じ、上記排水側防菌手段を、上記排水管路に介装され水の入口及び出口を有したケーシングと、該ケーシング内に設けられケーシング内の水に紫外線を照射する紫外線照射部とを備えて構成している。菌類を殺菌することができ、浄水への菌類の混入をより一層確実に防止することができる。
【００２４】
また、必要に応じ、上記排水側防菌手段を、抗菌材料で形成された上記排水管路の一部もしくは全部で構成している。排水管路の少なくとも一部が抗菌材料で形成されているので、菌類が浸入する事態を防止することができ、浄水への菌類の混入をより一層確実に防止することができる。
【００２５】
更に、必要に応じ、上記排水側防菌手段を、上記排水管路を形成する排水管に保持されるとともに上記注水管路に介装され水が通過可能な抗菌材料で形成された抗菌体で構成している。これによっても、菌類を殺菌することができ、浄水への菌類の混入をより一層確実に防止することができる。
この場合、上記抗菌体は、抗菌材料で形成された多孔の板状部材を積層して形成されることが有効である。水の抗菌材料に対する接触頻度が増し、殺菌効率が向上させられる。
【００２６】
また、本発明では、必要に応じ、上記機台に操作盤を設け、該操作盤に注水開始指令信号を送出する注水開始ボタンと、注水停止指令信号を送出する注水停止ボタンと、予め所要の注水量を指定可能な注水量指定手段とを備え、上記注水管路に水の流量を計測する流量計を設け、注水制御を行う制御部を設け、該制御部は、注水開始指令信号があったとき注水を開始する注水開始手段と、注水停止指令信号があったとき注水を停止する注水停止手段と、注水開始指令信号があってから流量計が計測する流量に基づいて注水量を算出する注水量算出手段と、注水量算出手段が演算した注水量が注水量指定手段が指定した所要の注水量になったとき注水停止指令信号を送出する注水量監視手段とを備えた構成としている。これにより、予め指定した注水量が注水されるので、必要量を注水することができ、無駄を防止することができる。
【００２７】
そして、必要に応じ、上記制御部は、上記注水量指定手段の指定がないとき、上記注水開始指令信号があってから上記注水停止ボタンによる注水停止指令信号があるまで連続注水を行なわせる連続注水手段を備えた構成としている。連続注水も行うことができ、極めて便利になる。
【発明の効果】
【００２８】
本発明によれば、この注水の停止中において、仮に、注水口からウイルス菌，細菌，真菌等の菌類が侵入しようとしても、注水側防菌手段が注水管路の注水口からの菌類の侵入を抑止するので、注水口を含む注水管路に菌類が浸入する事態を防止することができ、そのため、次にまた注水口から注水して飲用等に供するときでも、浄水に菌類が混入する事態を防止して確実に浄水の汚染の防止を図ることができ、安全性を向上させることができる。
【図面の簡単な説明】
【００２９】
【図１】本発明の実施の形態に係る浄水装置を示し、（ａ）は注水管を停止位置にした状態の斜視図、（ｂ）は注水管を回動させて注水可能状態にした状態の斜視図である。
【図２】本発明の実施の形態に係る浄水装置を操作盤の構成とともに示す正面図である。
【図３】本発明の実施の形態に係る浄水装置を示す側面図である。
【図４】本発明の実施の形態に係る浄水装置を示す配管図である。
【図５】本発明の実施の形態に係る浄水装置において第一注水側防菌手段をその注水管の回動途中の状態で示す要部断面図である。
【図６】本発明の実施の形態に係る浄水装置において第一注水側防菌手段をその注水管の停止位置の状態で示す要部断面図である。
【図７】本発明の実施の形態に係る浄水装置において第一注水側防菌手段の連結口部の構成を示す図５中Ｅ部拡大断面図である。
【図８】本発明の実施の形態に係る浄水装置において第一排水側防菌手段の構成を示す断面図である。
【図９】本発明の実施の形態に係る浄水装置において制御部の注水制御に係る構成を示す図である。
【図１０】本発明の実施の形態に係る浄水装置において、第一サブ防菌手段及び／または第三排水側防菌手段の構成を示す断面図である。
【図１１】本発明の実施の形態に係る浄水装置において、第二サブ防菌手段及び／または第四排水側防菌手段の構成を示す断面図である。
【図１２】本発明の別の実施の形態に係る浄水装置を示す配管図である。
【図１３】本発明の別の実施の形態に係る浄水装置の制御部において第三注水側防菌手段をその注水管の停止位置の状態で示す要部断面図である。
【図１４】本発明の実施の形態に係り第四の注水側防菌手段を示す要部断面図である。
【図１５】従来の浄水装置の一例を示す配管図である。
【発明を実施するための形態】
【００３０】
以下、添付図面に基づいて本発明の実施の形態に係る浄水装置について詳細に説明する。
図１乃至図９に示す実施の形態に係る浄水装置Ｓにおいて、その基本的構成は、略直方体状のカバー２を有した機台１と、図４に示すように、原水が給水される給水管路３と、給水管路３に介装され原水を送水するポンプ４と、ポンプ４から送水される原水を浄化して浄水と排水とに分離する浄化モジュール（図示せず）を圧力容器（図示せず）に収納した水処理ユニットＦと、水処理ユニットＦから浄水を流して先端の注水口１１から注水可能にする注水管路１０と、水処理ユニットＦから排水を流して排水口２１から排出する排水管路２０とを備えてなる。機台１の大きさは、例えば、幅１１０ｍｍ、奥行き２１０ｍｍ、高さ２９７ｍｍと、極めて小型に形成されている。
【００３１】
詳しくは、図４に示すように、給水管路３は、水道水が給水されるメイン給水口３ａを有しており、非常時等に用いられるサブ給水口５ａを有したサブ管路５が接続されている。この給水管路３には、活性炭が収納され原水を濾過する前処理フィルタ６が介装されている。７はサブ管路５の接続点より上流側に介装され給水管路３を開閉する電磁弁、８，９は前処理フィルタ６の前後に介装された逆止弁である。
【００３２】
また、注水管路１０には、流量計１２が介装され、その下流には注水管路１０を開閉する電磁弁１３が介装されている。一方、排水管路２０には、オリフィス型の流量調整器２３と管路を開閉する電磁弁２４とが並列に介装されており、この流量調整器２３と電磁弁２４の開閉により、水処理ユニットＦからの排水の流量調整を行うことができるようにしている。また、流量調整器２３と電磁弁２４の下流には、順に逆止弁２５及びオリフィス型の流量調整器２６が介装されている。更に、流量調整器２３の上流側の排水管路２０と、ポンプ４及び逆止弁９間の注水管路１０との間には、排水の一部を再度水処理ユニットＦで処理するための再処理用管路２７が接続されている。再処理用管路２７には、逆浸透膜に対する圧力調整のためのリリーフ弁２８が設けられている。
【００３３】
実施の形態に係る浄水装置Ｓにおいては、注水管路１０の注水口１１からウイルス菌，細菌，真菌等の菌類の侵入を抑止する１種若しくは複数種の注水側防菌手段が設けられている。
実施の形態では、第一注水側防菌手段Ａ１と、第二注水側防菌手段Ａ２とを備えている。第一注水側防菌手段Ａ１は、図１乃至図７に示すように、注水口１１が設けられた注水口部３１を有するとともに機台１に対して注水口１１の位置を可変に設けられ所定の停止位置Ｘに位置させられる注水管３０と、一端がポンプ４の上流側の給水管路３に接続され（実施の形態では再処理用管路２７のリリーフ弁２８の後流側に接続されている）、他端側が機台１に支持される戻し管路３２と、戻し管路３２の他端に設けられ注水管３０の停止位置Ｘで注水口部３１が連結される連結口部４０とを備えて構成されている。戻し管路３２には、電磁弁３３及び逆止弁３４が介装されている。注水口部３１が連結口部４０に連結された状態では、後述の制御部７０の制御により、注水管３０の停止位置Ｘでポンプ４を駆動することにより注水管路１０及び戻し管路３２の水を循環させるようにしている。この水の循環は、間欠的に行なわれる。
【００３４】
詳しくは、図５及び図６に示すように、注水管３０は、管路を内部に有した樹脂製の基端部材３０ａと、管路を内部に有した樹脂製の先端部材３０ｂと、アルミニウムなどのパイプ３０ｃとで構成され、パイプ３０ｃの両端はシール部材を介して夫々基端部材３０ａ及び先端部材３０ｂに接続されている。注水口部３１は、先端部材３０ｂの先端にパイプ３０ｃの軸方向に直交する軸線を有して機台１側に突出可能に形成されている。この先端部材３０ｂは、抗菌材料で形成されており、これにより、注水口１１が設けられた注水口部３１自体で第二注水側防菌手段Ａ２が構成されている。抗菌材料としては、例えば、スチレン系樹脂等の樹脂に特定の抗菌剤を配合したものが用いられる。抗菌剤としては、例えば、銀、銀化合物等が挙げられる。また、光触媒物質を塗布するようにしても良い。
【００３５】
また、注水管３０の基端部材３０ａの基端３５は、機台１の前面の略中央部に、水平方向の軸線を中心に回動可能に支持され、この回動により、機台１の前面に沿う停止位置Ｘ（図１（ａ），図２，図３実線，図４二点鎖線，図６）と機台１の前面から離間し注水を可能にする注水可能位置（図１（ｂ），図３二点鎖線，図４実線，図５）に位置させられる。そして、停止位置Ｘで注水口部３１は、連結口部４０に差し込み可能になっている。図５乃至図７に示すように、連結口部４０は、樹脂製の部材で形成され、注水口部３１が差し込まれる挿通孔４１を備えた筒状の部材であり、挿通孔４１の内部には注水口部３１の外周に弾接するリング状のシール部材４２が設けられている。連結口部４０には戻し管路３２を構成するパイプ４３がシール部材４３ａを介して接続されている。
【００３６】
また、機台１には、注水口部３１の連結口部４０に対する差し込み時に連結口部４０を微動可能に支持するフローティング支持部４４が設けられている。図７に示すように、フローティング支持部４４は、連結口部４０が遊嵌する貫通孔４５と、連結口部４０の外周に設けた鍔部４６を間隙を設けて抱擁し、軸方向前後に鍔部４６が衝止する衝止壁４７ａ，４７ｂを備え、連結口部４０の抜け止めを行う抜け止め部４７とを備えて構成されている。
【００３７】
更に、図５乃至図７に示すように、注水口部３１の停止位置Ｘで、注水口部３１を解除可能にロックするロック機構４８が設けられている。ロック機構４８は、連結口部４０の前側で機台１に進退可能に設けられ、後退時に注水管３０の回動により注水口部３１の停止位置Ｘへの移動を許容し、進出時に停止位置Ｘにある注水口部３１の背面に当接して注水口部３１の回動を阻止するロック部材４８ａと、ロック部材４８ａを突出方向に付勢するコイルスプリング４８ｂとを備えて構成されている。ロック部材４８ａの先端部及び先端部材３０ｂの先端部同士は互いに摺接して移動を容易にする山形形状に形成されている。また、ロック部材４８ａの先端部には手で押し込み可能にする凹部４８ｃが形成されている。
【００３８】
また、フローティング支持部４４の上には、注水管３０が停止位置Ｘに至ったことを検知するリミットスイッチからなる検知器４９が設けられている。本浄水装置Ｓは、後述もする制御部７０を備えており、制御部７０は、注水管３０が停止位置Ｘに至ったことを検知器４９で検知すると、所定時間経過後、間欠的にポンプ４を駆動する制御を行う。注水管３０が停止位置Ｘから離間すると、検知器４９がこれを検知し、ポンプ４の駆動を停止し、待機状態になる。
【００３９】
本実施の形態に係る浄水装置Ｓは、排水管路２０の少なくともこの排水管路２０の途中から水処理ユニットＦ側へ菌類の侵入を阻止する１種若しくは複数種の排水側防菌手段が備えられている。
実施の形態では、図４及び図８に示すように、第一排水側防菌手段Ｂ１を備えている。この第一排水側防菌手段Ｂ１は、排水口２１の手前の排水管路２０に介装されており、水の入口５１及び出口５２を有したケーシング５０と、ケーシング５０内に設けられケーシング５０内の水に紫外線を照射する紫外線照射ランプからなる紫外線照射部５３とを備えて構成されている。ケーシング５０は、所謂排水トラップを構成しており、排水口２１側の排水管５４がその軸線が垂直方向に沿うように設けられるとともにケーシング５０内に突出して設けられている。排水管５０の入口開口５５には水が通過可能な切欠き５６が形成されており、ケーシング５０の底面からこの切欠き５６までの高さ分ケーシング５０内に水が貯留可能になっていて、切欠き５６を越えて溜まろうとする水がこの切欠き５６から排水管５４を通って排水される。排水管５４の入口開口５５にはこの入口開口５５を覆うキャップ５７が被嵌されている。
【００４０】
また、図１及び図２に示すように、機台１の前面には操作盤６０が設けられている。操作盤６０には、図２に示すように、注水開始指令信号を送出する注水開始ボタン６１と、注水停止指令信号を送出する注水停止ボタン６２と、予め所要の注水量を指定可能な注水量指定手段６３とが設けられている。注水量指定手段６３は、操作盤６０に設けられ注水量を表示する表示部６４と、この表示部６４に所望の注水量を表示させる注水量設定ボタン６５を備えている。この注水量設定ボタン６５により表示部６４に表示された注水量が指定される。符号６６は電源ランプ、６７は浄水中に点灯する浄水ランプである。
【００４１】
そして、制御部７０は、例えばＣＰＵ等の機能によって実現され、図９に示すように、注水開始ボタン６１からの注水開始指令信号があったとき注水を開始する注水開始手段７１と、注水停止指令信号があったとき注水を停止する注水停止手段７２と、注水開始指令信号があってから上記の注水管路１０に介装した流量計１２が計測する流量に基づいて注水量を算出する注水量算出手段７３と、注水量算出手段７３が演算した注水量が注水量指定手段６３が指定した所要の注水量になったとき注水停止指令信号を送出する注水量監視手段７４とを備えて構成されている。また、制御部７０は、注水量指定手段６３の指定がないとき、即ち、表示部６４の表示がゼロのとき、注水開始指令信号があってから注水停止ボタン６２による注水停止指令信号があるまで連続注水を行なわせる連続注水手段７５を備えている。その他、制御部７０は、電磁弁７，１３，２４，３３の開閉制御、ポンプ４の始動，停止制御を行う。
【００４２】
従って、本実施の形態に係る浄水装置Ｓにより浄水を得るときは、先ず、図２及び図９に示すように、操作盤６０において、注水量設定ボタン６５を操作して、注水量を設定する。この場合、表示部６４にその設定量が表示される。この状態で、図１乃至図７に示すように、ロック機構４８のロック部材４８ａを手動で押し、ロックを解除して、注水管３０を停止位置Ｘから適宜の回動位置に回動させる。そして、操作盤６０において、注水開始ボタン６１を押釦する。これにより、ポンプ４が駆動され、浄化モジュールを有した水処理ユニットＦから浄水が送出され注水管路１０を通って注水口１１から注水される。注水管路１０では、流量計１２が流量を検知しており、図９に示すように、制御部７０においては注水量算出手段７３が流量計１２が計測する流量に基づいて注水量を算出している。そして、注水量監視手段７４により、注水量算出手段７３が演算した注水量が注水量指定手段６３が指定した所要の注水量になると、注水停止指令信号が送出され、ポンプ４の駆動が停止される等して注水が停止させられる。この場合、予め指定した注水量が注水されるので、必要量を注水することができ、無駄を防止することができる。
【００４３】
尚、注水中に、操作盤６０の注水停止ボタン６２を押釦すれば、強制的に注水を中止することができる。また、注水量設定ボタン６５を操作することなく注水量を設定しない場合には、即ち、表示部６４の表示がゼロのときは、注水開始ボタン６１を押釦した後、注水停止ボタン６２を押釦して注水停止指令信号が送出されるまでは、連続注水手段７５により連続注水が行われる。そのため、何時でも任意の注水量の浄水を得ることができる。
【００４４】
注水が終わったならば、図１乃至図７に示すように、注水管３０を回動させて所定の停止位置Ｘに位置させ、注水口部３１を連結口部４０に連結する。注水管３０を回動させるだけの簡易な操作なので、操作性が向上させられる。この場合、ロック機構４８のロック部材４８ａを手であるいは先端部材３０ｂの先端で押圧しながらロックを解除して、注水口部３１を連結口部４０に差し込み、その後、ロック部材４８ａをスプリング４８ｂの付勢力により進出させてロック位置に位置させる。この注水口部３１を連結口部４０に差し込む際は、フローティング支持部４４により連結口部４０が微動できるので、注水口部３１を連結口部４０に対して位置合わせし易くなり、差し込みを容易にすることができ、操作性が向上させられる。
【００４５】
注水管３０が停止位置Ｘに位置させられると、リミットスイッチからなる検知器４９が注水管３０が停止位置Ｘに至ったことを検知するので、制御部７０は、所定時間経過後、間欠的に所定時間ポンプ４を駆動して、注水管路１０及び戻し管路３２の水を循環させる。この、間欠的な循環は、注水管３０が停止位置Ｘから離間させられて検知器４９がこれを検知するまで繰り返し行われる。これにより、ポンプ４の連続運転による加熱を防止することができ、省力化を図ることができる。また、注水管路１０及び戻し管路３２の水が循環させられるので、浄化モジュールが逆浸透膜（ＲＯ膜）タイプのものなので、浄水の逆流が懸念されるが、これを防止する効果も奏する。
【００４６】
この注水の停止中においては、第一注水側防菌手段Ａ１が機能し、即ち、注水口部３１が連結口部４０に連結されるので、ウイルス菌，細菌，真菌等の菌類が侵入しようとしても、注水口１１からの菌類の侵入を抑止することができ、注水口１１を含む注水管路１０に菌類が浸入する事態を防止することができる。特に、注水口部３１が連結口部４０に差し込まれるので、注水口部３１を確実に空気と遮断して注水口１１から菌類が浸入する事態を防止することができる。また、注水管路１０及び戻し管路３２の水が循環させられるので、管内の水を浄化モジュールで再び浄化することができ、これによっても清潔を確保することができる。
また、注水の停止中においては、第二注水側防菌手段Ａ２も機能し、即ち、注水口部３１が抗菌材料で形成されているので、この点でも、注水口１１を含む注水管路１０に菌類が浸入する事態を防止することができる。
【００４７】
更に、この注水の停止中においては、図８に示すように、第一排水側防菌手段Ｂ１が機能し、即ち、排水口２１の手前の排水管路２０に設けたケーシング５０内においては、紫外線照射部５３からケーシング５０内の水に紫外線が照射されるので、排水管路２０に侵入しようとする菌類が殺菌され、水処理ユニットＦ側への菌類の侵入を阻止することができる。また、簡易な手段で殺菌することができる。
【００４８】
次にまた、浄水を得るときは、上記と同様に、操作盤６０において注水量を適宜設定して、ロック機構４８のロックを解除して、注水管３０を停止位置Ｘから適宜の回動位置に回動させ、注水開始ボタン６１を押釦する。これにより、ポンプ４が駆動され、浄化モジュールを有した水処理ユニットＦから浄水が送出され注水管路１０を通って注水口１１から注水される。この場合、注水の停止中においては、第一注水側防菌手段Ａ１，第二注水側防菌手段Ａ２及び第一排水側防菌手段Ｂ１が機能しているので、注水口１１から注水される浄水に菌類が混入する事態が防止され、確実に浄水の汚染の防止が図られ、安全性が向上させられる。
【００４９】
次に、上記実施の形態に係る浄水装置Ｓの変形例を示す。これは、注水管路１０及び戻し管路３２を含む循環管路に、１種若しくは複数種の別の防菌手段（以下「サブ防菌手段」という）を設けたものである。例えば、図４中、注水管路１０及び戻し管路３２を含む循環管路のＱ点に介装される。これにより、浄水への菌類の混入をより一層確実に防止することができる。
先ず、第一サブ防菌手段について説明する。図１０に示すように、この第一サブ防菌手段Ｍ１は、注水管路１０及び戻し管路３２を含む循環管路（例えば図中Ｑ点）に介装され一側に水の入口８０ａ及び出口８０ｂを有した棒状のケーシング８０と、ケーシング８０内にその軸方向に沿ってその端部から延在させられケーシング８０内の水に紫外線を照射する紫外線ランプからなる紫外線照射部８１とを備えて構成されている。この紫外線照射部８１により、菌類を殺菌することができ、浄水への菌類の混入をより一層確実に防止することができる。
【００５０】
また、第二サブ防菌手段について説明する。図１１に示すように、この第二サブ防菌手段Ｍ２は、注水管路１０及び戻し管路３２を含む循環管路（例えば図４中Ｑ点）に介装され、水が通過可能な抗菌材料で形成された抗菌体８３で構成されている。この抗菌体８３は、例えば、銀や銀合金などの抗菌材料で形成された多孔の円盤状の板状部材８４を積層して形成されている。この抗菌体８３は、ホルダ８５に保持されている。ホルダ８５は、パイプ状に形成され一端に抗菌体８３が嵌合する大径保持部８５ａを有した一方部材８６と、パイプ状に形成され一端に一方部材８６の大径保持部８５ａに嵌合して抗菌体８３の抜けを阻止する段差部８７ｂを形成する大径嵌合部８７ａを有した他方部材８７とから構成されている。水が抗菌体８３を通過することにより、菌類を殺菌することができ、浄水への菌類の混入をより一層確実に防止することができる。
【００５１】
次に、別の実施の形態に係る浄水装置を説明する。図１２及び図１３に示すように、この別の実施の形態に係る浄水装置Ｓは、上記実施の形態と基本的には同様に構成されるが、第一注水側防菌手段Ａ１に代わって、第三注水側防菌手段Ａ３が備えられている。この第三注水側防菌手段Ａ３は、第一注水側防菌手段Ａ１とは戻し管路３２がなく閉塞されている点で異なり、注水口１１が設けられた注水口部３１を有するとともに機台１に対して注水口１１の位置を可変に設けられ所定の停止位置Ｘに位置させられる上記と同様に構成される注水管３０と、機台１に設けられ注水管３０の停止位置Ｘで上記注水口部３１が連結される連結口部４０とを備えている。この連結口部４０は、上記とほぼ同様に構成されるが、一端に注水口部３１が挿入される開口はあるが、他端には戻し管路３２の接続がなく、他端は閉塞されている。そして、この連結口部４０内には、注水口部３１の殺菌を行う殺菌ユニット９０が備えられている。殺菌ユニット９０は、本例においては、図１３に示すように、紫外線を照射する紫外線ＬＥＤからなる紫外線照射部９１を備えて構成されている。紫外線の照射により、確実に殺菌することができる。
【００５２】
この別の実施の形態に係る浄水装置Ｓによれば、上記と同様に、注水口１１から注水して飲用等に供するときは、ポンプ４を駆動すると、浄化モジュールを有した水処理ユニットＦから浄水が送出され注水管路１０を通って注水口１１から注水される。所要量の注水が行われたならば、ポンプ４の駆動を停止するなどして注水を停止し、その後、注水管３０を動かして所定の停止位置Ｘに位置させ、上記と同様に、注水口部３１を連結口部４０に連結する。この注水の停止中においては、第三注水側防菌手段Ａ３が機能し、即ち、注水口部３１が連結口部４０に連結されるので、注水口１１から細菌類等が浸入する事態を防止することができ、浄水に菌類が混入する事態を防止して確実に浄水の汚染の防止を図ることができ、安全性を向上させることができる。また、殺菌ユニット９０によって注水口部３１の殺菌が行われるので、浄水への菌類の混入をより一層確実に防止することができる。
【００５３】
次に、上記各浄水装置Ｓに適用できる第四注水側防菌手段を示す。これは、図１４に示すように、注水口１１が設けられた注水口部３１に介装され水が通過可能な抗菌材料で形成された抗菌体８３で構成されている。この抗菌体８３は、例えば、銀や銀合金などの抗菌材料で形成された多孔の円盤状の板状部材８４を積層して形成されている。この抗菌体８３は、注水口部３１内に嵌合保持されている。上記第一注水側防菌手段Ａ１と併用した場合には、循環する水が抗菌体８３を通過することにより、菌類を殺菌することができ、浄水への菌類の混入をより一層確実に防止することができる。また、上記第三注水側防菌手段Ａ３と併用した場合には、水は循環しないが、注水口１１を含む注水管路１０に菌類が浸入する事態を防止することができる。そのため、次にまた注水口１１から注水して飲用等に供するときでも、浄水に菌類が混入する事態を防止して確実に浄水の汚染の防止を図ることができ、安全性を向上させることができる。
【００５４】
尚、上記第一乃至第四注水側防菌手段Ａ１〜Ａ４は、それぞれ独立して、浄水装置Ｓに組み込むことができる。また、第一注水側防菌手段Ａ１と第三注水側防菌手段Ａ３とは、水を循環させるか否かの違いがあるので、併用はできないが、これらに、第二注水側防菌手段Ａ２及び／または第四注水側防菌手段Ａ４を併用することは差し支えない。更に、第一注水側防菌手段Ａ１を用いて水を循環させる場合には、この循環管路に、上記の第一サブ防菌手段Ｍ１及び／または第二サブ防菌手段Ｍ２を設けることができる。第二，第三及び第四注水側防菌手段Ａ２〜Ａ４を独立して若しくはこれらを併用した浄水装置Ｓでも、第一注水側防菌手段Ａ１のような循環管路が形成されないが、注水管路１０中にこの第一サブ防菌手段Ｍ１及び／または第二サブ防菌手段Ｍ２を設けることは差し支えない。
【００５５】
次に、第二排水側防菌手段Ｂ２を示す。これは、抗菌材料で形成された排水管路２０の一部もしくは全部で構成したものである。抗菌材料としては、例えば、銀や銀化合物等の金属系無機材料のもの、あるいは、これらを混合した樹脂材料、あるいはまた、光触媒材料を塗布したもの等が用いられる。排水管路２０の少なくとも一部が抗菌材料で形成されているので、菌類が浸入する事態を防止することができ、浄水への菌類の混入をより一層確実に防止することができる。
【００５６】
次にまた、第三排水側防菌手段を示す。図１０に示すように、第三排水側防菌手段Ｂ３は、上記第一サブ防菌手段Ｍ１と同様に形成されている。即ち、第三排水側防菌手段Ｂ３は、排水管路２０に介装され一側に水の入口８０ａ及び出口８０ｂを有した棒状のケーシング８０と、ケーシング８０内にその軸方向に沿ってその端部から延在させられケーシング８０内の水に紫外線を照射する紫外線ランプからなる紫外線照射部８１とを備えて構成されている。この紫外線照射部８１により、菌類を殺菌することができ、浄水への菌類の混入をより一層確実に防止することができる。
【００５７】
また、第四排水側防菌手段を示す。図１１に示すように、第四排水側防菌手段Ｂ４は、上記第二サブ防菌手段Ｍ２と同様に形成されている。即ち、第四排水側防菌手段Ｂ４は、排水管路２０に介装され、水が通過可能な抗菌材料で形成された抗菌体８３で構成されている。この抗菌体８３は、例えば、銀や銀合金などの抗菌材料で形成された多孔の円盤状の板状部材８４を積層して形成されている。この抗菌体８３は、ホルダ８５に保持されている。ホルダ８５は、パイプ状に形成され一端に抗菌体８３が嵌合する大径保持部８５ａを有した一方部材８６と、パイプ状に形成され一端に一方部材８６の大径保持部８５ａに嵌合して抗菌体８３の抜けを阻止する段差部８７ｂを形成する大径嵌合部８７ａを有した他方部材８７とから構成されている。水が抗菌体８３を通過することにより、菌類を殺菌することができ、浄水への菌類の混入をより一層確実に防止することができる。
【００５８】
尚、上記第一乃至第四排水側防菌手段Ｂ１〜Ｂ４は、併用することができる。また、これらを、排水口２１の外部に接続管を接続し、この外部の接続管に設けても良く適宜変更して差し支えない。
【００５９】
尚また、上記実施の形態においては、水処理ユニットＦは、ＲＯ膜型の浄化モジュールを用いたタイプのもので説明したが、その他、例えば、ＮＦ膜（ナノフィルター），ＵＦ膜（限外ろ過膜），ＭＦ膜（精密ろ過膜）などの分離膜によって浄水と排水とに分離するタイプのものであれば、どのようなものにも適用できることは勿論である。
【符号の説明】
【００６０】
Ｓ  浄水装置
Ｆ  水処理ユニット
１  機台
３  給水管路
４  ポンプ
６  前処理フィルタ
１０  注水管路
１１  注水口
１２  流量計
２０  排水管路
２１  排水口
２７  再処理用管路
Ａ１〜Ａ４  第一注水側防菌手段〜第四注水側防菌手段
Ｂ１〜Ｂ４  第一排水側防菌手段〜第四排水側防菌手段
Ｍ１，Ｍ２  第一サブ防菌手段，第二サブ防菌手段
３０  注水管
Ｘ  停止位置
３１  注水口部
３２  戻し管路
４０  連結口部
４１  挿通孔
４２  シール部材
４４  フローティング支持部
４８  ロック機構
４９  検知器
５０  ケーシング
５３  紫外線照射部
６０  操作盤
７０  制御部
８０  ケーシング
８１  紫外線照射部
８３  抗菌体
８４  板状部材
８５  ホルダ
９０  殺菌ユニット
９１  紫外線照射部
【図１】
2015020152.tif 000003
【図２】
2015020152.tif 000004
【図３】
2015020152.tif 000005
【図４】
2015020152.tif 000006
【図５】
2015020152.tif 000007
【図６】
2015020152.tif 000008
【図７】
2015020152.tif 000009
【図８】
2015020152.tif 000010
【図９】
2015020152.tif 000011
【図１０】
2015020152.tif 000012
【図１１】
2015020152.tif 000013
【図１２】
2015020152.tif 000014
【図１３】
2015020152.tif 000015
【図１４】
2015020152.tif 000016
【図１５】
2015020152.tif 000017